(57)【要約】【課題】オリジナル画像と縮小画像との整合性を保ちつつ、容易な画像管理を実現する。【解決手段】撮影されたオリジナル画像は、外部記録媒体３３に記録され、その縮小画像は、画像メモリ３１に記録される。また、画像メモリ３１及びに記録されている画像を再生表示する際、オリジナル画像に対応する縮小画像がない場合には、縮小画像を自動的に生成して画像メモリ３１に記録する。また、オリジナル画像に対応する縮小画像がある場合には、その縮小画像を表示部２５に一覧表示する。このとき、親画像と対応する縮小画像とが重複して表示されないようにする。また、画像を削除する際には、オリジナル画像が存在するにもかかわらず対応する縮小画像が存在しないというような状態がないよう、親画像と縮小画像とで不整合が生じないように管理する。【選択図】図１
2008172653.tif 000002
【特許請求の範囲】
【請求項１】
画像を撮影、記録、再生表示する撮像装置であって、
着脱可能な外部記録媒体であり、撮像したオリジナル画像を記憶する第１の記憶手段と、
撮像したオリジナル画像から縮小画像を生成する縮小画像生成手段と、
前記縮小画像生成手段により生成された縮小画像を記憶する第２の記憶手段と、
前記オリジナル画像と該オリジナル画像に対応する縮小画像との存在の有無に基づいて、前記オリジナル画像または前記縮小画像を削除する画像削除手段と
を具備することを特徴とする撮像装置。
【請求項２】
前記オリジナル画像と該オリジナル画像に対応する縮小画像とを区別して削除指定する第１の削除指定手段を更に備え、
前記画像削除手段は、前記オリジナル画像と該オリジナル画像に対応する縮小画像との存在の有無と、前記第１の削除指定手段による削除指定とに基づいて、前記オリジナル画像または前記縮小画像を削除することを特徴とする請求項１記載の撮像装置。
【請求項３】
前記オリジナル画像と該オリジナル画像に対応する縮小画像とを区別無く削除指定する第２の削除指定手段を更に備え、
前記画像削除手段は、前記第２の削除指定手段による削除指定に応じて、前記オリジナル画像と該オリジナル画像に対応する縮小画像との存在の有無を判断し、その判断結果に基づいて、前記オリジナル画像または前記縮小画像を削除することを特徴とする請求項１記載の撮像装置。
【請求項４】
前記第１の記憶手段及び前記第２の記憶手段の双方に記憶されている異なるサイズの同一画像を表示する際、前記第２の記憶手段に記憶されている縮小画像に基づいて表示する再生制御手段を具備することを特徴とする請求項１乃至３のいずれかに記載の撮像装置。
【請求項５】
前記第１の記憶手段に記憶されているオリジナル画像に対応する縮小画像が前記第２の記憶手段に記憶されているか否かを判断する第１の判断手段を更に具備し、
前記縮小画像生成手段は、前記第１の判断手段により、オリジナル画像に対応する縮小画像が記憶されていないと判断された場合、前記オリジナル画像に対応する縮小画像を生成して前記第２の記憶手段に記憶することを特徴とする請求項１乃至４のいずれかに記載の撮像装置。
【請求項６】
画像を撮影、記録、再生表示する撮像装置であって、
着脱可能な外部記録媒体であり、撮像したオリジナル画像を記憶する第１の記憶手段と、
撮像したオリジナル画像から縮小画像を生成する縮小画像生成手段と、
前記縮小画像生成手段により生成された縮小画像を記憶する第２の記憶手段と、
前記第２の記憶手段に記憶されている縮小画像が表示指定された場合には、この指定された縮小画像を表示させ、前記第１の記憶手段に記憶されているオリジナル画像が表示指定された場合には、この指定されたオリジナル画像に対応して前記第２の記憶手段に記憶されている縮小画像を表示させる再生制御手段と、
前記第１の記憶手段に記憶されている複数のオリジナル画像を対象とし、各オリジナル画像に対応する縮小画像が前記第２の記憶手段に記憶されているか否かを判断する第１の判断手段と、
前記第１の判断手段によりオリジナル画像に対応する縮小画像が記憶されていないと判断されたオリジナル画像を対象とし、各オリジナル画像に対応する縮小画像を前記縮小画像生成手段により生成させて前記第２の記憶手段に追加して記憶させる追加記憶手段と
を具備することを特徴とする撮像装置。
【請求項７】
前記再生制御手段は、前記第１の判断手段により、オリジナル画像に対応する縮小画像が記憶されていると判断された場合には、当該縮小画像に基づいて表示する一方、オリジナル画像に対応する縮小画像が記憶されていないと判断された場合には、当該オリジナル画像に基づいて表示した後、当該オリジナル画像に基づいて表示された画像に代えて、前記縮小画像生成手段により生成され、前記第２の記憶手段に記憶された縮小画像に基づいて表示することを特徴とする請求項５または６記載の撮像装置。
【請求項８】
前記第１の記憶手段に記憶されているオリジナル画像及び前記第２の記憶手段に記憶されている縮小画像の双方を所定の順番で表示する際、オリジナル画像に対応する縮小画像、あるいは縮小画像に対応するオリジナル画像が記憶されているか否かを判断する第２の判断手段を更に具備し、
前記再生制御手段は、
オリジナル画像に基づいて表示する場合に、
前記第２の判断手段により、当該オリジナル画像に対応する縮小画像が記憶されていると判断された場合には、該縮小画像に基づいて表示する一方、当該オリジナル画像に対応する縮小画像が記憶されていないと判断された場合には、前記縮小画像手段により生成された縮小画像に基づいて表示し、
縮小画像に基づいて表示する場合に、
前記第２の判断手段により、該縮小画像に対応するオリジナル画像が記憶されていないと判断された場合には、該縮小画像に基づいて表示する一方、該縮小画像に対応するオリジナル画像が記憶されていると判断された場合には、当該画像の表示をスキップすることを特徴とする請求項６または７記載の撮像装置。
【請求項９】
前記再生制御手段によって表示されている画像に対して削除指示があった場合、削除指示された画像のオリジナル画像が前記第１の記憶手段に記憶されているか否かを判断する第３の判断手段を具備し、
前記画像削除手段は、前記第３の判断手段により、削除指示された画像のオリジナル画像が記憶されていないと判断された場合には、削除指示された画像に対応する縮小画像を削除する一方、削除指示された画像に対応するオリジナル画像が記憶されていると判断された場合には、削除指示された画像に対応する縮小画像の削除を禁止することを特徴とする請求項７記載の撮像装置。
【請求項１０】
前記第３の判断手段により、削除指示された画像のオリジナル画像が記憶されていると判断された場合に、削除指示された画像の縮小画像とともに、該縮小画像に対応するオリジナル画像も一緒に削除するか否かの指示要求を出力する通知手段を具備し、
前記画像削除手段は、前記通知手段による指示要求に応じてユーザから削除の指示を取得した場合に、削除指示された画像の縮小画像とともにオリジナル画像を削除することを特徴とする請求項９記載の撮像装置。
【請求項１１】
少なくとも、着脱可能な外部記録媒体と内部記憶部とに記憶されている画像を管理する画像管理方法であって、
撮像したオリジナル画像を前記外部記録媒体に記憶するステップと、
撮像したオリジナル画像から縮小画像を生成するステップと、
前記生成された縮小画像を前記内部記憶部に記憶するステップと、
前記オリジナル画像と該オリジナル画像に対応する縮小画像との存在の有無に基づいて、前記オリジナル画像または前記縮小画像を削除するステップと
を含むことを特徴とする画像管理方法。
【請求項１２】
前記オリジナル画像に対応する縮小画像が前記内部記憶部に記憶されているか否かを判断するステップと、
前記オリジナル画像に対応する縮小画像が記憶されていないと判断された場合、前記オリジナル画像に対応する縮小画像を生成して前記内部記憶部に記憶するステップと
を更に含むことを特徴とする請求項１１記載の画像管理方法。
【請求項１３】
表示されている画像に対して削除指示があった場合、削除指示された画像のオリジナル画像が前記外部記録媒体に記憶されているか否かを判断するステップと、
前記削除指示された画像のオリジナル画像が記憶されていないと判断された場合には、削除指示された画像に対応する縮小画像を削除するステップと、
前記削除指示された画像に対応するオリジナル画像が記憶されていると判断された場合には、削除指示された画像に対応する縮小画像の削除を禁止するステップと
を更に含むことを特徴とする請求項１１または１２記載の画像管理方法。
【請求項１４】
画像を撮影、記録、再生表示する撮像装置を制御するプログラムであって、
前記撮像装置を、
着脱可能な外部記録媒体であり、撮像したオリジナル画像を記憶する第１の記憶手段と、
撮像したオリジナル画像から縮小画像を生成する縮小画像生成手段と、
前記縮小画像生成手段により生成された縮小画像を記憶する第２の記憶手段と、
前記オリジナル画像と該オリジナル画像に対応する縮小画像との存在の有無に基づいて、前記オリジナル画像または前記縮小画像を削除する画像削除手段と
して機能させることを特徴とするプログラム。
【発明の詳細な説明】
【技術分野】
【０００１】
本発明は、オリジナル画像を縮小した縮小画像により画像を管理する撮像装置、画像管理方法及びプログラムに関する。
【背景技術】
【０００２】
近年、デジタルカメラでは、外部記録媒体の大容量化が進んでおり、大量の画像ファイルを格納することが可能になった。このため、デジタルカメラにおいては、管理すべき画像ファイルの数が多くなり、画像ファイルの検索、閲覧などに多大の時間を必要とし、表示されるのが遅くなるという欠点があった。
【０００３】
そこで、所定のサイズ（解像度）で撮影されたオリジナル画像（親画像）を記録保存する際に、オリジナル画像のサイズ（解像度）を小さくした縮小画像（子画像またはサムネイル）を生成し、該オリジナル画像とは別に縮小画像を記憶し、撮影画像を表示する際には、オリジナル画像の代わりに縮小画像を一覧表示させることで表示時間を短縮する技術が知られている（例えば、特許文献１、特許文献２参照）。
【０００４】
【特許文献１】特開２００２−２０４４２０号公報
【特許文献２】特開２００６−６０２７１号公報
【発明の開示】
【発明が解決しようとする課題】
【０００５】
ところで、上述した従来技術では、縮小画像に対する画像管理と、オリジナル画像に対する画像管理とを独立して行っていた。このため、オリジナル画像を削除しても、縮小画像が削除されない、あるいは、オリジナル画像を加工しても、縮小画像に反映されない、あるいは、他のデジタルカメラで撮影したオリジナル画像から縮小画像を作成しないなど、オリジナル画像と縮小画像とに不一致が生じてしまい、画像管理に不具合が発生するという問題があった。
【０００６】
そこで本発明は、オリジナル画像と縮小画像との整合性を保ちつつ、容易な画像管理を実現することができる撮像装置、画像管理方法及びプログラムを提供することを目的とする。
【課題を解決するための手段】
【０００７】
上記目的達成のため、請求項１記載の発明による撮像装置は、画像を撮影、記録、再生表示する撮像装置であって、着脱可能な外部記録媒体であり、撮像したオリジナル画像を記憶する第１の記憶手段と、撮像したオリジナル画像から縮小画像を生成する縮小画像生成手段と、前記縮小画像生成手段により生成された縮小画像を記憶する第２の記憶手段と、前記オリジナル画像と該オリジナル画像に対応する縮小画像との存在の有無に基づいて、前記オリジナル画像または前記縮小画像を削除する画像削除手段とを具備することを特徴とする。
【０００８】
また、好ましい態様として、例えば請求項２記載のように、請求項１記載の撮像装置において、前記オリジナル画像と該オリジナル画像に対応する縮小画像とを区別して削除指定する第１の削除指定手段を更に備え、前記画像削除手段は、前記オリジナル画像と該オリジナル画像に対応する縮小画像との存在の有無と、前記第１の削除指定手段による削除指定とに基づいて、前記オリジナル画像または前記縮小画像を削除するようにしてもよい。
【０００９】
また、好ましい態様として、例えば請求項３記載のように、請求項１記載の撮像装置において、前記オリジナル画像と該オリジナル画像に対応する縮小画像とを区別無く削除指定する第２の削除指定手段を更に備え、前記画像削除手段は、前記第２の削除指定手段による削除指定に応じて、前記オリジナル画像と該オリジナル画像に対応する縮小画像との存在の有無を判断し、その判断結果に基づいて、前記オリジナル画像または前記縮小画像を削除するようにしてもよい。
【００１０】
また、好ましい態様として、例えば請求項４記載のように、請求項１乃至３のいずれかに記載の撮像装置において、前記第１の記憶手段及び前記第２の記憶手段の双方に記憶されている異なるサイズの同一画像を表示する際、前記第２の記憶手段に記憶されている縮小画像に基づいて表示する再生制御手段を具備するようにしてもよい。
【００１１】
また、好ましい態様として、例えば請求項５記載のように、請求項１乃至４のいずれかに記載の撮像装置において、前記第１の記憶手段に記憶されているオリジナル画像に対応する縮小画像が前記第２の記憶手段に記憶されているか否かを判断する第１の判断手段を更に具備し、前記縮小画像生成手段は、前記第１の判断手段により、オリジナル画像に対応する縮小画像が記憶されていないと判断された場合、前記オリジナル画像に対応する縮小画像を生成して前記第２の記憶手段に記憶するようにしてもよい。
【００１２】
また、上記目的達成のため、請求項６記載の発明による撮像装置は、画像を撮影、記録、再生表示する撮像装置であって、着脱可能な外部記録媒体であり、撮像したオリジナル画像を記憶する第１の記憶手段と、撮像したオリジナル画像から縮小画像を生成する縮小画像生成手段と、前記縮小画像生成手段により生成された縮小画像を記憶する第２の記憶手段と、前記第２の記憶手段に記憶されている縮小画像が表示指定された場合には、この指定された縮小画像を表示させ、前記第１の記憶手段に記憶されているオリジナル画像が表示指定された場合には、この指定されたオリジナル画像に対応して前記第２の記憶手段に記憶されている縮小画像を表示させる再生制御手段と、前記第１の記憶手段に記憶されている複数のオリジナル画像を対象とし、各オリジナル画像に対応する縮小画像が前記第２の記憶手段に記憶されているか否かを判断する第１の判断手段と、前記第１の判断手段によりオリジナル画像に対応する縮小画像が記憶されていないと判断されたオリジナル画像を対象とし、各オリジナル画像に対応する縮小画像を前記縮小画像生成手段により生成させて前記第２の記憶手段に追加して記憶させる追加記憶手段とを具備することを特徴とする。
【００１３】
また、好ましい態様として、例えば請求項７記載のように、請求項５または６記載の撮像装置において、前記再生制御手段は、前記第１の判断手段により、オリジナル画像に対応する縮小画像が記憶されていると判断された場合には、当該縮小画像に基づいて表示する一方、オリジナル画像に対応する縮小画像が記憶されていないと判断された場合には、当該オリジナル画像に基づいて表示した後、当該オリジナル画像に基づいて表示された画像に代えて、前記縮小画像生成手段により生成され、前記第２の記憶手段に記憶された縮小画像に基づいて表示するようにしてもよい。
【００１４】
また、好ましい態様として、例えば請求項８記載のように、請求項６または７に記載の撮像装置において、前記第１の記憶手段に記憶されているオリジナル画像及び前記第２の記憶手段に記憶されている縮小画像の双方を所定の順番で表示する際、オリジナル画像に対応する縮小画像、あるいは縮小画像に対応するオリジナル画像が記憶されているか否かを判断する第２の判断手段を更に具備し、前記再生制御手段は、オリジナル画像に基づいて表示する場合に、前記第２の判断手段により、当該オリジナル画像に対応する縮小画像が記憶されていると判断された場合には、該縮小画像に基づいて表示する一方、当該オリジナル画像に対応する縮小画像が記憶されていないと判断された場合には、前記縮小画像手段により生成された縮小画像に基づいて表示し、縮小画像に基づいて表示する場合に、前記第２の判断手段により、該縮小画像に対応するオリジナル画像が記憶されていないと判断された場合には、該縮小画像に基づいて表示する一方、該縮小画像に対応するオリジナル画像が記憶されていると判断された場合には、当該画像の表示をスキップするようにしてもよい。
【００１５】
また、好ましい態様として、例えば請求項９記載のように、請求項７記載の撮像装置において、前記再生制御手段によって表示されている画像に対して削除指示があった場合、削除指示された画像のオリジナル画像が前記第１の記憶手段に記憶されているか否かを判断する第３の判断手段を具備し、前記画像削除手段は、前記第３の判断手段により、削除指示された画像のオリジナル画像が記憶されていないと判断された場合には、削除指示された画像に対応する縮小画像を削除する一方、削除指示された画像に対応するオリジナル画像が記憶されていると判断された場合には、削除指示された画像に対応する縮小画像の削除を禁止するようにしてもよい。
【００１６】
また、好ましい態様として、例えば請求項１０記載のように、請求項９記載の撮像装置において、前記第３の判断手段により、削除指示された画像のオリジナル画像が記憶されていると判断された場合に、削除指示された画像の縮小画像とともに、該縮小画像に対応するオリジナル画像も一緒に削除するか否かの指示要求を出力する通知手段を具備し、前記画像削除手段は、前記通知手段による指示要求に応じてユーザから削除の指示を取得した場合に、削除指示された画像の縮小画像とともにオリジナル画像を削除するようにしてもよい。
【００１７】
また、上記目的達成のため、請求項１１記載の発明による画像管理方法は、少なくとも、着脱可能な外部記録媒体と内部記憶部とに記憶されている画像を管理する画像管理方法であって、撮像したオリジナル画像を前記外部記録媒体に記憶するステップと、撮像したオリジナル画像から縮小画像を生成するステップと、前記生成された縮小画像を前記内部記憶部に記憶するステップと、前記オリジナル画像と該オリジナル画像に対応する縮小画像との存在の有無に基づいて、前記オリジナル画像または前記縮小画像を削除するステップとを含むことを特徴とする。
【００１８】
また、好ましい態様として、例えば請求項１２記載のように、請求項１１記載の画像管理方法において、前記オリジナル画像に対応する縮小画像が前記内部記憶部に記憶されているか否かを判断するステップと、前記オリジナル画像に対応する縮小画像が記憶されていないと判断された場合、前記オリジナル画像に対応する縮小画像を生成して前記内部記憶部に記憶するステップとを更に含むようにしてもよい。
【００１９】
また、好ましい態様として、例えば請求項１３記載のように、請求項１１または１２記載の画像管理方法において、表示されている画像に対して削除指示があった場合、削除指示された画像のオリジナル画像が前記外部記録媒体に記憶されているか否かを判断するステップと、前記削除指示された画像のオリジナル画像が記憶されていないと判断された場合には、削除指示された画像に対応する縮小画像を削除するステップと、前記削除指示された画像に対応するオリジナル画像が記憶されていると判断された場合には、削除指示された画像に対応する縮小画像の削除を禁止するステップとを更に含むようにしてもよい。
【００２０】
また、上記目的達成のため、請求項１４記載の発明によるプログラムは、画像を撮影、記録、再生表示する撮像装置を制御するプログラムであって、前記撮像装置を、着脱可能な外部記録媒体であり、撮像したオリジナル画像を記憶する第１の記憶手段と、撮像したオリジナル画像から縮小画像を生成する縮小画像生成手段と、前記縮小画像生成手段により生成された縮小画像を記憶する第２の記憶手段と、前記オリジナル画像と該オリジナル画像に対応する縮小画像との存在の有無に基づいて、前記オリジナル画像または前記縮小画像を削除する画像削除手段として機能させることを特徴とする。
【発明の効果】
【００２１】
本発明によれば、撮影を行った場合、その画像を着脱可能な第１の記憶手段に記録するとともに、その縮小画像を第２の記憶手段に記録し、過去に得られた縮小画像と合わせて内部メモリに蓄積し、オリジナル画像と該オリジナル画像に対応する縮小画像との存在の有無に基づいて、オリジナル画像または縮小画像を削除するようにしたので、オリジナル画像と縮小画像との整合性を保ちつつ、容易な画像管理を実現することができるという利点が得られる。
【発明を実施するための最良の形態】
【００２２】
以下、本発明の実施の形態を、図面を参照して説明する。
【００２３】
Ａ．実施形態の構成
図１は、本発明の実施形態によるデジタルカメラの構成を示すブロック図である。図において、画像取得部１０は、レンズ１１、シャッタ１２、ＬＰＦ１３からなる。レンズ１１は、通常の光学レンズであり、非球面レンズを重ねたレンズ群からなる。シャッタ１２は、シャッタボタンが操作されると、制御部２０によって駆動されるドライバ１４により動作する、所謂メカニカルシャッタである。なお、デジタルカメラによっては、メカニカルシャッタを備えない場合もあり、沈胴式のレンズ構造、メカニカルズームを搭載する機種の場合、これらの駆動制御もドライバ１４で行う。ＬＰＦ１３は、水晶ローパスフィルタであり、モアレの発生を防ぐために搭載されている。
【００２４】
次に、アナログ信号処理部１５は、撮像センサ（ＣＣＤ，ＣＭＯＳ）１６、サンプリング／信号増幅処理部１７、Ａ／Ｄコンバータ１８からなる。撮像センサ１６は、被写体画像（イメージ）を結像し、ＲＧＢの各色の光の強さを、電流値に変換する。サンプリング／信号増幅処理部１７は、ノイズや色むらを抑えるための相関二重サンプリング処理や信号増幅処理を行う。Ａ／Ｄコンバータ１８は、アナログフロントエンドとも呼ばれ、サンプリング・増幅したアナログ信号をデジタル信号に変換する（ＲＧＢ，ＣＭＹＧ各色について１２ｂｉｔデータに変換してバスラインに出力する）。
【００２５】
次に、制御部（ＣＰＵ）２０は、後述するプログラムメモリ格納されるプログラムに従ってデジタルカメラ１（撮像装置）の全体を制御する。特に、本実施形態では、後述するＲＡＭ（内部メモリ）３５に記憶される子画像（縮小画像）と、後述する画像メモリ３１に記憶される親画像（オリジナル画像）との記録、再生、削除などの管理を行う。
【００２６】
プレビューエンジン２２は、録画モード（記録モード、撮影モードともいう）において、画像取得部１０、アナログ信号処理部１５を介して入力されたデジタルデータ、もしくはシャッタ操作検出直後、イメージバッファ２６に格納されたデジタルデータ、および、画像メモリ３１に格納されたデジタルデータを表示部２５に表示させるために間引き処理を行う。Ｄ／Ａコンバータ２３は、プレビューエンジン２２により間引き処理されたデジタルデータを変換し、後段のドライバ２４に出力する。
【００２７】
ドライバ２４は、後段の表示部２５に表示されるデジタルデータを一時記憶するバッファ領域を備え、キー操作部２７、制御部２０を介して入力された制御信号に基づいて表示部２５を駆動させる。表示部２５は、カラーＴＦＴ液晶や、ＳＴＮ液晶などからなり、プレビュー画像や、撮影後の画像データ、設定メニューなどを表示する。特に、本実施形態では、画像の削除時における確認メッセージなどを表示する。
【００２８】
イメージバッファ２６は、アナログ信号処理部１５、もしくはデジタル信号処理部２８を介して入力され、デジタル信号処理部２８に渡すまで一時的に撮影直後のデジタルデータを格納する。キー操作部２７は、シャッタボタンや、記録／再生モード選択スライドスイッチ、メニューボタン、十字キー（中央押しで決定）などからなる。
【００２９】
デジタル信号処理部２８は、アナログ信号処理部１５を介して入力されたデジタルデータに対して、ホワイトバランス処理や、色処理、階調処理、輸郭強調、ＲＧＢ形式からＹＵＶ形式への変換、ＹＵＶ形式からＪＰＥＧ形式への変換、親画像（オリジナル画像）から子画像（縮小画像）の生成などを行う。画像圧縮／伸張処理部２９は、デジタル信号処理部２８を介して入力されたデジタルデータをＪＰＥＧ方式に圧縮符号化したり、モーションＪＰＥＧ形式の動画ファイルを生成したり、モーションＪＰＥＧ形式の動画ファイルをＭＰＥＧ形式の動画ファイルに変換したり、再生モードにおいては、ＪＰＥＧ形式、モーションＪＰＥＧ形式、あるいはＭＰＥＧ形式の動画ファイルを伸張したりする。
【００３０】
プログラムメモリ３０は、制御部２０にロードされる各種プログラムや、ベストショット機能におけるＥＶ値、色補正情報などを格納する。画像メモリ３１は、イメージバッファ２６に一時的に保持された画像データや、各種ファイル形式に変換されたデジタルデータ、動画データなどを格納する。特に、本実施形態では、親画像（オリジナル画像）を縮小した子画像（縮小画像）を格納する。
【００３１】
カードＩ／Ｆ３２は、外部記録媒体３３とデジタルカメラ本体との間のデータ交換を制御する。外部記録媒体３３は、コンパクトフラッシュ（登録商標）、メモリースティック、ＳＤカード等からなる着脱可能な記録媒体であり、撮影された親画像（オリジナル画像）を格納する。外部接続用Ｉ／Ｆ３４は、ＵＳＢコネクター用スロットなどからなり、パーソナルコンピュータなどと接続され、撮影した画像データの転送などに用いられる。ＲＡＭ３５は、制御部（ＣＰＵ）２０の制御に必要な各種パラメータや、夜景撮影時の各種パラメータ（ゲイン（ＩＳＯ感度）、絞り、シャッタスピード、画像合成のための閾値、重みなど）などを記憶する。
【００３２】
Ｂ．実施形態の動作
次に、上述した実施形態の動作について説明する。ここで、図２ないし図５は、携帯電話１の動作を説明するためのフローチャートである。まず、画像再生モードであるか否かを判断し（ステップＳ１０）、画像再生モードである場合には、子画像を含めた全ての画像を再生対象とするか否かを判断する（ステップＳ１２）。内部メモリ（画像メモリ３１）に記憶されている子画像を含めた全ての画像を再生対象とするか、外部メモリ（外部記録媒体３２）に記憶されている親画像のみを再生対象とするかは、ユーザにより指定可能となっている。
【００３３】
ここで、図６は、内部メモリ（画像メモリ３１）と外部メモリ（外部記録媒体３２）に記憶されている画像の一例を示す模式図である。例えば、図示するように、内部メモリ（画像メモリ３１）に、子画像ａ、ｂ、ｃ、ｄ、ｆ、ｇ、ｈ、ｉ、ｊが記憶されており、外部メモリ（外部記録媒体３２）に、親画像Ａ、Ｂ、Ｃ、Ｄ、Ｅが記憶されているものとする。
【００３４】
そして、外部メモリ（外部記録媒体３２）に記憶されている親画像のみを再生対象とする場合には、一画面内に同時表示する画像数と表示サイズとを決定する（ステップＳ１６）。該画像数と表示サイズ（あるいは何れか一方）は、ユーザにより指定可能となっている。但し、表示サイズが子画像の解像度の整数分の１となるように自動設定する。
【００３５】
次に、カレントの再生位置の親画像に対応する子画像が内部メモリ（画像メモリ３１）に存在するか否かを判断し（ステップＳ１８）、再生対象である親画像に対応する子画像が内部メモリに存在する場合には、対応する子画像をそのまま、または表示サイズに合わせて画素を間引いて、表示部２５の画面上の所定の表示位置に表示する（ステップＳ２０）。このとき、既に親画像を縮小した子画像を表示することで高速に表示される。次に、親画像を表示サイズに合わせて縮小処理（画素の平均化及び補間）を行って、画面上に表示されている子画像に代えて表示する（ステップＳ２２）。
【００３６】
一方、カレントの再生位置の親画像に対応する子画像が内部メモリ（画像メモリ３１）に存在しない場合には、親画像を表示サイズに合わせて縮小処理（画素の平均化及び補間）を行って、表示部２５の画面上の所定の表示位置に表示する（ステップＳ２４）。次に、親画像に対応する子画像を生成し、親画像へのリンク情報とともに内部メモリ（画像メモリ３１）に記録する（ステップＳ２６）。なお、ステップＳ２４での縮小処理で生成された画像のサイズ（解像度）が子画像と同じであるなら、該表示用の画像を子画像としてもよく、この場合、ステップＳ２６での子画像生成は省略してもよい。
【００３７】
次に、いずれの場合（Ｓ２２、Ｓ２６）も、カレントの再生位置から一画面分の画像を表示したか否かを判断し（ステップＳ２８）、一画面分の画像を表示していない場合には、ステップＳ１８に戻り、上述した処理を繰り返す。
【００３８】
そして、一画面分の画像を表示した場合には、表示している画像に対する削除指示があったか否かを判断し（ステップＳ３０）、削除指示がなければ、カレントの再生位置を更新指示に応じて更新する（ステップＳ３４）。次に、再生終了であるか否かを判断し（ステップＳ３６）、再生終了指示があった場合には、当該処理を終了する。一方、再生終了指示がない場合には、ステップＳ１８に戻り、次の画面に対する画像の表示を繰り返す。
【００３９】
ここで、図７ないし図１１は、画像の表示例を示す模式図である。例えば、親画像Ａの場合には、親画像Ａに対応する子画像ａが内部メモリに存在するので、図７（ａ）に示すように、対応する子画像ａがそのまま（または表示サイズに合わせて画素を間引いて）、表示部２５の画面上の所定の表示位置に表示される。次に、親画像Ａが表示サイズに合わせて縮小処理され、図７（ｂ）に示すように、画面上に表示されている子画像ａに代えて表示される。
【００４０】
同様に、例えば、親画像Ｂの場合には、対応する子画像ｂが内部メモリに存在するので、図８（ａ）に示すように、対応する子画像ｂがそのまま表示部２５の画面上の所定の表示位置に表示された後、親画像Ｂが表示サイズに合わせて縮小処理され、図８（ｂ）に示すように、画面上に表示されている子画像ｂに代えて表示される。以下、同様にして、図９に示すように、子画像ｃが一旦表示された後、対応する親画像Ｃが縮小され、子画像ｃに代えて表示され、子画像ｄが一旦表示された後、対応する親画像Ｄが縮小され、子画像ｄに代えて順次表示されていく。
【００４１】
次に、親画像Ｅを表示する場合には、対応する子画像ｅが内部メモリ（画像メモリ３１）に存在しない。このため、親画像Ｅが表示サイズに合わせて縮小処理され、図１０に示すように、表示部２５の画面上の所定の表示位置に表示される。次に、図１１に示すように、親画像ｅに対応する子画像が生成され、親画像Ｅへのリンク情報とともに内部メモリ（画像メモリ３１）に記録される。
【００４２】
また、表示画像に対して削除指示があった場合には、削除指示された画像の親画像と子画像とを削除し（ステップＳ３２）、カレントの再生位置を更新指示に応じて更新する（ステップＳ３４）。次に、再生終了であるか否かを判断し（ステップＳ３６）、再生終了指示があった場合には、当該処理を終了する。一方、再生終了指示がない場合には、ステップＳ１８に戻り、次に画面に対する画像の表示を繰り返す。
【００４３】
ここで、図１２及び図１３は、削除指示があった場合の動作を説明するための模式図である。例えば、図１２に示すように、親画像Ｄを元にした表示画像に対して削除指示があった場合には、図１３に示すように、外部メモリ（外部記録媒体３３）に記憶されている親画像Ｄと内部メモリ（画像メモリ３１）に記憶されている子画像ｄとを削除する。
【００４４】
また、ステップＳ１２において、子画像を含めた全ての画像を表示対象とする（ユーザ指示があった）場合には、画像の再生順番を決めるための条件を決定する（ステップＳ３８）。条件としては、例えば、撮影日付順、ファイル名順、外部メモリ（外部記録媒体３３）の再生順などが考えられる。次に、一画面内に同時表示する画像数と表示サイズとを決定する（ステップＳ４０）。該画像数と表示サイズ（あるいは、いずれか一方）は、ユーザにより指定可能となっている。但し、表示サイズが子画像の解像度の整数分の１となるように自動設定する。次に、外部メモリ（外部記録媒体３３）及び内部メモリ（画像メモリ３１）に記録されている親画像の中でカレントの再生位置を決定する（ステップＳ４２）。
【００４５】
ここで、図１４は、内部メモリ（画像メモリ３１）と外部メモリ（外部記録媒体３２）に記憶されている画像の一例を示す模式図である。前述したように、内部メモリ（画像メモリ３１）に、子画像ａ、ｂ、ｃ、ｄ、ｆ、ｇ、ｈ、ｉ、ｊが記憶されており、外部メモリ（外部記録媒体３２）に、親画像Ａ、Ｂ、Ｃ、Ｄ、Ｅが記憶されているものとする。また、この場合、外部メモリ（外部記録媒体３３）の親画像Ａがカレントに設定されているものとする。
【００４６】
次に、カレントの再生位置が親画像であり、かつ、対応する子画像が存在するか否かを判断する（ステップＳ４４）。そして、カレントの再生位置が親画像であり、かつ、対応する子画像が存在する場合には、対応する子画像をそのまま、または表示サイズに合わせて画素を間引いて、表示部２５の画面上の所定の表示位置に表示する（ステップＳ４６）。このとき、既に親画像を縮小した子画像を表示することで高速に表示される。
【００４７】
ここで、図１５は、カレントの再生位置が親画像であり、かつ、対応する子画像が存在する場合における表示例を示す模式図である。図示するように、親画像Ａ〜Ｄまでは、対応する子画像ａ〜ｄが内部メモリ（画像メモリ３１）に存在するので、対応する子画像ａ〜ｄがそのまま（または表示サイズに合わせて画素を間引いて）、表示部２５の画面上の所定の表示位置に順次表示される。
【００４８】
一方、カレントの再生位置が親画像でない場合、あるいは、対応する子画像が存在しない場合には、カレントの再生位置が親画像であり、かつ、対応する子画像が存在しないか否かを判断する（ステップＳ４８）。そして、カレントの再生位置が親画像であり、かつ、対応する子画像が存在しない場合には、対応する子画像を生成し、内部メモリ（画像メモリ３１）に記録するとともに、画面上の表示位置に表示する（ステップＳ５０）。
【００４９】
ここで、図１６は、カレントの再生位置が親画像であり、かつ、対応する子画像が存在しない場合における動作例を示す模式図である。また、図１７は、カレントの再生位置が親画像であり、かつ、対応する子画像が存在しない場合における表示例を示す模式図である。前述した図１４に示すように、親画像Ｅには、対応する子画像ｅが内部メモリ（画像メモリ３１）に存在しない。この場合、図１６に示すように、親画像Ｅに対応する子画像ｅが生成され、親画像Ｅへのリンク情報とともに内部メモリ（画像メモリ３１）に記録された後、図１７に示すように、表示部２５の画面上の所定の表示位置に子画像ｅが表示される。
【００５０】
一方、カレントの再生位置が親画像でない場合には、カレントの再生位置が子画像であり、かつ、対応する親画像が存在するか否かを判断する（ステップＳ５２）。そして、カレントの再生位置が子画像であり、かつ、対応する親画像が存在する場合には、再生位置が当該親画像に位置した際に、ステップＳ４６で、その子画像が表示されるので、再び、重複して表示されることを防ぐために、表示をスキップする（ステップＳ５４）。
【００５１】
一方、カレントの再生位置が子画像であっても、対応する親画像が存在しない場合には、カレントの再生位置が子画像であり、かつ、対応する親画像が存在しないか否かを判断する（ステップＳ５６）。そして、カレントの再生位置が子画像であり、かつ、対応する親画像が存在しない場合には、対応する子画像をそのまま、または表示サイズに合わせて画素を間引いて、表示部２５の画面上の所定の表示位置に表示する（ステップＳ５８）。このとき、既に親画像を縮小した子画像を表示することで高速に表示される。
【００５２】
ここで、図１８は、カレントの再生位置が子画像であり、かつ、対応する親画像が存在する場合、あるいはカレントの再生位置が子画像であり、かつ、対応する親画像が存在しない場合における動作例を示す模式図である。また、図１９は、カレントの再生位置が子画像であり、かつ、対応する親画像が存在する場合、あるいはカレントの再生位置が子画像であり、かつ、対応する親画像が存在しない場合における表示例を示す模式図である。
【００５３】
例えば、図１８において、外部メモリ（外部記録媒体３３）の親画像Ａ〜Ｅまでに対して、その子画像ａ〜ｅまでが既に表示された後、カレントの再生位置が内部メモリ（画像メモリ３１）の子画像に移行した場合、子画像ａ〜ｅについては、親画像Ａ〜Ｅが存在しているので、つまり既に表示されているので表示がスキップされる。したがって、図１９に示すように、同じ画像が重複されて表示されることはない。
【００５４】
また、カレントの再生位置が内部メモリ（画像メモリ３１）の子画像ｆ以降に移行した場合には、子画像ｆ〜ｊについては、親画像Ｆ〜Ｊが存在しないので、対応する子画像ｆ〜ｊがそのまま（または表示サイズに合わせて画素を間引いて）、図１９に示すように、表示部２５の画面上の所定の表示位置に表示される。
【００５５】
上記ステップＳ４６、Ｓ５０、Ｓ５４及びＳ５８のいずれの場合も、次に、カレントの再生位置から一画面分の画像を表示したか否かを判断する（ステップＳ６０）。そして、一画面分の画像を表示していない場合には、ステップＳ４４に戻り、上述した処理を繰り返し、表示部２５の画面上に画像を表示していく。
【００５６】
一方、カレントの再生位置から一画面分の画像を表示した場合には、表示している画像に対する削除指示があったか否かを判断し（ステップＳ６２）、削除指示がなければ、カレントの再生位置を更新指示に応じて更新し（ステップＳ７０）、再生終了であるか否かを判断し（ステップＳ７２）、再生終了指示があった場合には、当該処理を終了する。一方、再生終了指示がない場合には、ステップＳ４４に戻り、次の画面に対する画像の表示を繰り返す。
【００５７】
また、表示している画像に対する削除指示があった場合には、対応する親画像が存在するか否かを判断し（ステップＳ６４）、親画像が存在する場合には、その子画像の削除を禁止する（ステップＳ６６）。このとき、親画像も一緒に削除するかの確認メッセージを表示し、親画像も一緒に削除してもよいことが確認されれば、子画像と親画像とを削除するようにしてもよい。一方、削除指示があった画像に対応する親画像が存在しない場合、すなわち子画像のみが存在する場合には、その子画像を削除する（ステップＳ６８）。
【００５８】
ここで、図２０及び図２１は、削除指示があった場合の動作を説明するための模式図である。例えば、図２０に示すように、子画像ｄを元にした表示画像に対して削除指示があった場合には、図２１に示すように、外部メモリ（外部記録媒体３３）に対応する親画像Ｄが存在するので、その画像の削除を禁止する旨のメッセージとして、「対応する親画像があります！削除できません」などを表示して削除を禁止する。
【００５９】
また、図２２及び図２３は、対応する親画像が存在する場合の別の動作例を説明するための模式図である。上述したように、対応する親画像が存在する画像に対して削除指示があった場合、親画像も一緒に削除するかの確認メッセージとして、「対応する親画像があります！削除できません！親画像も一緒に削除しますか？」などを表示し、親画像も一緒に削除してもよいことが確認されれば、図２３（ａ）に示すように、子画像ｄと親画像Ｄとを削除する一方、親画像も一緒に削除しないことが確認されれば、図２３（ｂ）に示すように、子画像ｄ及び親画像Ｄを削除しない。
【００６０】
また、図２４及び図２５は、対応する親画像が存在しない場合の動作例を説明するための模式図である。例えば、図２４に示すように、子画像ｉを元にした表示画像に対して削除指示があった場合には、図２５に示すように、外部メモリ（外部記録媒体３３）に対応する親画像が存在しないので、その子画像ｉを削除する。
【００６１】
ステップＳ６６、Ｓ６８のいずれの場合も、次に、カレントの再生位置から一画面分の画像を表示したか否かを判断する（ステップＳ６０）。そして、カレントの再生位置を更新指示に応じて更新し（ステップＳ７０）、再生終了であるか否かを判断し（ステップＳ７２）、再生終了指示があった場合には、当該処理を終了する一方、再生終了指示がない場合には、ステップＳ４４に戻り、次の画面に対する画像の表示を繰り返す。
【００６２】
上述した実施形態によれば、撮影した親画像を外部記録媒体３３に記録し、対応する子画像を内部の画像メモリ３１に記録するようにしたので、外部記録媒体３３が交換された場合であっても、画像メモリ３１の子画像を表示することで、現時点で装着されていない外部記録媒体に記録されている親画像も含め、過去に撮影された全ての画像を閲覧することができる。
【００６３】
また、親画像が外部記録媒体３３に記録されており、かつ、該親画像に対応する子画像が画像メモリ３１に記録されている場合には、画像メモリ３１の子画像に基づく表示を行うようにすることで、素早く画像を表示することができる。
【００６４】
また、親画像が外部記録媒体３３に記録されているが、対応する子画像が画像メモリ３１に記録されていない場合には、親画像を縮小して子画像を生成するようにしたので、例えば、他のデジタルカメラで撮影記録された外部記録媒体が装着されたり、内部メモリに記録された子画像が任意に削除されるような場合であっても、親画像と子画像とを１対１に対応させて、親画像と子画像との整合性を保つことができ、画像管理をより確実に行うことができる。
【００６５】
また、親画像に対応する子画像が記憶されている場合には、該子画像に基づいて表示する一方、親画像に対応する子画像が記憶されていない場合には、該親画像に基づいて表示した後、該親画像に基づいて表示された画像に代えて、親画像から生成された子画像に基づいて表示するようにしたので、子画像がない場合であっても、素早く画像を表示することができる。
【００６６】
また、削除指示があった場合、その親画像の有無に応じて子画像の削除を制御するようにしたので、親画像が外部記録媒体３３に存在するにもかかわらず、対応する子画像が削除されてしまうことを防止することができ、親画像と子画像との整合性を保つことができ、画像管理をより確実に行うことができる。
【００６７】
また、削除指示された画像の親画像が記憶されている場合に、削除指示された画像の子画像とともに、該子画像に対応する親画像も一緒に削除するか否かのメッセージを表示し、該メッセージに応じてユーザによって削除の確認が取れた場合、削除指示された画像の縮小画像とともにオリジナル画像を削除するようにしたので、親画像と子画像との整合性を保つことができ、画像管理をより確実に行うことができる。
【００６８】
また、親画像を元に表示する際に、対応する子画像が記録されている場合には、その子画像を表示し、子画像を元に表示する際に、対応する親画像が記録されいる場合には、その画像の表示をスキップするようにしたので、サイズのみが異なる同じ画像が重複して表示されることを防ぐことができる。
【００６９】
Ｃ．変形例
次に、本発明の変形例について説明する。本変形例では、一覧表示された画像に対して削除指示する際に、ユーザにより、親画像を削除するのか、子画像を削除するのかを指定可能としている。なお、構成、基本的な動作については、上述した実施形態と同様であるので、以下では、異なる部分についてのみ説明する。
【００７０】
図２６は、本発明の変形例による動作（一部）を説明するためのフローチャートである。該変形例は、基本的に、図５に示すフローチャートと同様であるが、ステップＳ６２〜Ｓ６８の部分を、図２６に示すように、ステップＳ８０〜Ｓ９６に変更している。
【００７１】
図５に示すステップＳ６０で、カレントの再生位置から一画面分の画像を表示した後、表示画像の削除指示があったか否かを判断し（ステップＳ８０）、削除指示がない場合には、図５に示すステップＳ７０に進む。一方、削除指示があった場合には、親画像に対する削除指示であるか、子画像に対する削除指示であるかを判断する（ステップＳ８２）。例えば、削除指示があった際に、親画像か子画像かを選択可能なポップアップウインドウを表示したり、予めキーと親画像削除指示あるいは子画像削除指示とを対応付けておくことにより、削除する画像を選択的に指示させるようにすればよい。
【００７２】
そして、親画像に対する削除指示であった場合には、対応する親画像が存在するか否かを判断し（ステップＳ８６）、親画像が存在する場合には、親画像と子画像とを削除する（ステップＳ８８）。その後、図５に示すステップＳ７０に進む。
【００７３】
一方、削除指示があった画像に対応する親画像が存在しない場合には、親画像がないことをメッセージを表示するなどして通知する（ステップＳ９０）。その後、図５に示すステップＳ７０に進む。
【００７４】
また、親画像に対する削除指示でない場合、すなわち、子画像に対する削除指示であった場合には、対応する親画像が存在するか否かを判断し（ステップＳ９２）、親画像が存在する場合には、その子画像の削除を禁止する（ステップＳ９４）。このとき、親画像も一緒に削除するかの確認メッセージを表示し、親画像も一緒に削除してもよいことが確認されれば、子画像と親画像とを削除するようにしてもよい。その後、図５に示すステップＳ７０に進む。一方、親画像が存在しない場合には、子画像のみを削除する（ステップＳ９６）。その後、図５に示すステップＳ７０に進む。
【００７５】
上述した変形例によれば、外部記録媒体３３に記憶されている親画像に対して削除指示があった場合には、該親画像を削除するとともに、画像メモリ３１に記録されている、対応する子画像も同時に削除し、画像メモリ３１に記録されている子画像に対して削除指示があった場合には、外部記録媒体３３に記録されている、対応する親画像が存在していれば、画像メモリ３１に記録されている子画像のみが削除されることを禁止するようにしたので、親画像が存在するにもかかわらず、対応する子画像が存在しない状態となることを防止することができ、子画像による確実な画像管理が可能となる。
【図面の簡単な説明】
【００７６】
【図１】本発明の実施形態によるデジタルカメラの構成を示すブロック図である。
【図２】携帯電話１の動作を説明するためのフローチャートである。
【図３】携帯電話１の動作を説明するためのフローチャートである。
【図４】携帯電話１の動作を説明するためのフローチャートである。
【図５】携帯電話１の動作を説明するためのフローチャートである。
【図６】内部メモリ（画像メモリ３１）と外部メモリ（外部記録媒体３２）に記憶されている画像の一例を示す模式図である。
【図７】画像の表示例を示す模式図である。
【図８】画像の表示例を示す模式図である。
【図９】画像の表示例を示す模式図である。
【図１０】画像の表示例を示す模式図である。
【図１１】画像の表示例を示す模式図である。
【図１２】削除指示があった場合の動作を説明するための模式図である。
【図１３】削除指示があった場合の動作を説明するための模式図である。
【図１４】内部メモリ（画像メモリ３１）と外部メモリ（外部記録媒体３２）に記憶されている画像の一例を示す模式図である。
【図１５】カレントの再生位置が親画像であり、かつ、対応する子画像が存在する場合における表示例を示す模式図である。
【図１６】カレントの再生位置が親画像であり、かつ、対応する子画像が存在しない場合における動作例を示す模式図である。
【図１７】カレントの再生位置が親画像であり、かつ、対応する子画像が存在しない場合における表示例を示す模式図である。
【図１８】カレントの再生位置が子画像であり、かつ、対応する親画像が存在する場合、あるいはカレントの再生位置が子画像であり、かつ、対応する親画像が存在しない場合における動作例を示す模式図である。
【図１９】カレントの再生位置が子画像であり、かつ、対応する親画像が存在する場合、あるいはカレントの再生位置が子画像であり、かつ、対応する親画像が存在しない場合における表示例を示す模式図である。
【図２０】削除指示があった場合の動作を説明するための模式図である。
【図２１】削除指示があった場合の動作を説明するための模式図である。
【図２２】対応する親画像が存在する場合の別の動作例を説明するための模式図である。
【図２３】対応する親画像が存在する場合の別の動作例を説明するための模式図である。
【図２４】対応する親画像が存在しない場合の動作例を説明するための模式図である。
【図２５】対応する親画像が存在しない場合の動作例を説明するための模式図である。
【図２６】本発明の変形例による携帯電話１の動作を説明するためのフローチャート（一部）である。
【符号の説明】
【００７７】
１  デジタルカメラ
１０  画像取得部
１１  レンズ
１２  シャッタ
１３  ＬＰＦ
１４  ドライバ
１５  アナログ信号処理部
１６  撮像センサ
１７  サンプリング／信号増幅処理部
１８  Ａ／Ｄコンバータ
１９  フラッシュ
２０  制御部
２２  プレビューエンジン
２３  Ｄ／Ａコンバータ
２４  ドライバ
２５  表示部
２６  イメージバッファ
２７  キー操作部
２８  デジタル信号処理部
２９  画像圧縮／伸張処理部
３０  プログラムメモリ
３１  画像メモリ
３２  カードＩ／Ｆ
３３  外部記録媒体
３４  外部接続用Ｉ／Ｆ
３５  ＲＡＭ
【図１】
2008172653.tif 000003
【図２】
2008172653.tif 000004
【図３】
2008172653.tif 000005
【図４】
2008172653.tif 000006
【図５】
2008172653.tif 000007
【図６】
2008172653.tif 000008
【図７】
2008172653.tif 000009
【図８】
2008172653.tif 000010
【図９】
2008172653.tif 000011
【図１０】
2008172653.tif 000012
【図１１】
2008172653.tif 000013
【図１２】
2008172653.tif 000014
【図１３】
2008172653.tif 000015
【図１４】
2008172653.tif 000016
【図１５】
2008172653.tif 000017
【図１６】
2008172653.tif 000018
【図１７】
2008172653.tif 000019
【図１８】
2008172653.tif 000020
【図１９】
2008172653.tif 000021
【図２０】
2008172653.tif 000022
【図２１】
2008172653.tif 000023
【図２２】
2008172653.tif 000024
【図２３】
2008172653.tif 000025
【図２４】
2008172653.tif 000026
【図２５】
2008172653.tif 000027
【図２６】
2008172653.tif 000028